(57)【特許請求の範囲】
【請求項１】
ゲートの入口に認証エリアを形成する第１電波を出力し、前記ゲートの入口に対し、前記認証エリアよりも手前側のエリアを含むプレ認証エリアを形成する第２電波を出力する検出部と、
前記検出部が前記認証エリア内のタグからの電波により識別情報を受信した際に、前記検出部から当該識別情報を受信し、当該識別情報に対する認証処理を行う本認証部と、
前記検出部が前記プレ認証エリア内のタグからの電波により識別情報よりも少ない情報量の簡易情報と識別情報とを受信した際に、当該簡易情報に対する認証処理を行うプレ認証部と、
前記プレ認証部による簡易情報の認証結果に基づいて、当該簡易情報と当該識別情報とを送信したタグに対して前記ゲートの通過の可否を通知する通知部と、
を備えたことを特徴とするセキュリティゲートシステム。
【請求項２】
前記プレ認証部が簡易情報を認証した場合は、前記ゲートに設けられたセンサの検出領域を前記ゲートの入口から離れる方向に移動させる制御部、
を備えたことを特徴とする請求項１に記載のセキュリティゲートシステム。
【請求項３】
ゲートの入口に認証エリアを形成する第１電波を出力し、前記ゲートの入口に対し、前記認証エリアよりも手前側のエリアを含むプレ認証エリアを形成する第２電波を出力する検出部と、
前記検出部が前記認証エリア内のタグからの電波により識別情報を受信した際に、前記検出部から当該識別情報を受信し、当該識別情報に対する認証処理を行う本認証部と、
前記検出部が前記プレ認証エリア内のタグからの電波により識別情報よりも少ない情報量の簡易情報と識別情報とを受信した際に、当該簡易情報に対する認証処理を行うプレ認証部と、
前記プレ認証部が簡易情報を認証した後、前記認証エリアで受信された識別情報と前記プレ認証エリアで受信された識別情報とが一致した場合は、前記ゲートに設けられたセンサの検出領域を前記ゲートの入口から離れる方向に移動させる制御部と、
を備えたことを特徴とするセキュリティゲートシステム。
【請求項４】
前記第１電波の周波数と前記第２電波の周波数とは、互いに異なることを特徴とする請求項１〜請求項３のいずれか一項に記載のセキュリティゲートシステム。
【請求項５】
前記検出部は、前記第１電波と前記第２電波とを交互に出力することを特徴とする請求項１〜請求項４のいずれか一項に記載のセキュリティゲートシステム。
【請求項６】
前記検出部は、前記認証エリアと前記プレ認証エリアとが重ならないように、前記第１電波と前記第２電波とを出力することを特徴とする請求項１〜請求項５のいずれか一項に記載のセキュリティゲートシステム。
【発明の詳細な説明】
【技術分野】
【０００１】
この発明は、セキュリティゲートシステムに関するものである。
【背景技術】
【０００２】
セキュリティゲートシステムにおいて、リーダは、利用者が所持したタグから電波を受信する。当該電波に基づいて、リーダは、識別情報等をコントローラに送信する。当該識別情報に基づいて、コントローラは、利用者を特定する。利用者が認証された場合は、セキュリティゲートからの入場が許可される。利用者が認証されない場合は、セキュリティゲートからの入場が許可されない（例えば、特許文献１参照）。
【先行技術文献】
【特許文献】
【０００３】
【特許文献１】日本特開平７−２１４２１号公報
【特許文献２】日本特開２０１０−１７６２２３号公報
【特許文献３】日本特開２０００−３３１２０２号公報
【特許文献４】日本特開２００４−２９７２９２号公報
【発明の概要】
【発明が解決しようとする課題】
【０００４】
しかしながら、タグからの電波と携帯電話等からの電波とが干渉する場合がある。この場合、リーダは、識別情報等を正しく認識することができない。その結果、認証されるべき利用者であっても認証されない場合がある。この場合、利用者は、再度認証を行わなければならない。すなわち、利用者は、セキュリティゲートに入り直さなければならない。その結果、セキュリティゲートが混雑する。【０００５】
この発明は、上述の課題を解決するためになされたもので、その目的は、セキュリティゲートの混雑を緩和することができるセキュリティゲートシステムを提供することである。
【課題を解決するための手段】
【０００６】
この発明に係るセキュリティゲートシステムは、ゲートの入口に認証エリアを形成する第１電波を出力し、前記ゲートの入口に対し、前記認証エリアよりも手前側のエリアを含むプレ認証エリアを形成する第２電波を出力する検出部と、前記検出部が前記認証エリア内のタグからの電波により識別情報を受信した際に、前記検出部から当該識別情報を受信し、当該識別情報に対する認証処理を行う本認証部と、前記検出部が前記プレ認証エリア内のタグからの電波により識別情報よりも少ない情報量の簡易情報と識別情報とを受信した際に、当該簡易情報に対する認証処理を行うプレ認証部と、前記プレ認証部による簡易情報の認証結果に基づいて、当該簡易情報と当該識別情報とを送信したタグに対して前記ゲートの通過の可否を通知する通知部と、を備えたものである。
【０００７】
この発明に係るセキュリティゲートシステムは、ゲートの入口に認証エリアを形成する第１電波を出力し、前記ゲートの入口に対し、前記認証エリアよりも手前側のエリアを含むプレ認証エリアを形成する第２電波を出力する検出部と、前記検出部が前記認証エリア内のタグからの電波により識別情報を受信した際に、前記検出部から当該識別情報を受信し、当該識別情報に対する認証処理を行う本認証部と、前記検出部が前記プレ認証エリア内のタグからの電波により識別情報よりも少ない情報量の簡易情報と識別情報とを受信した際に、当該簡易情報に対する認証処理を行うプレ認証部と、前記プレ認証部が簡易情報を認証した後、前記認証エリアで受信された識別情報と前記プレ認証エリアで受信された識別情報とが一致した場合は、前記ゲートに設けられたセンサの検出領域を前記ゲートの入口から離れる方向に移動させる制御部と、を備えたものである。
【発明の効果】
【０００８】
この発明によれば、セキュリティゲートの混雑を緩和することができる。
【図面の簡単な説明】
【０００９】
【図１】この発明の実施の形態１におけるセキュリティゲートシステムの構成図である。
【図２】この発明の実施の形態１におけるセキュリティゲートシステムの動作を説明するためのフローチャートである。
【図３】この発明の実施の形態２におけるセキュリティゲートシステムの構成図である。
【発明を実施するための形態】
【００１０】
この発明を実施するための形態について添付の図面に従って説明する。なお、各図中、同一又は相当する部分には同一の符号を付しており、その重複説明は適宜に簡略化ないし省略する。
【００１１】
実施の形態１．
図１はこの発明の実施の形態１におけるセキュリティゲートシステムの構成図である。
【００１２】
図１に示すように、セキュリティゲート１は、一対の筐体１ａ、１ｂを備える。セキュリティゲート１の入口の一側には、光電ポスト１ｃが設けられる。筐体１ａの長手方向の中央には、侵入センサ２が設けられる。例えば、侵入センサ２は、赤外線センサからなる。侵入センサ２は、侵入検出領域２ａを有する。侵入センサ２は、筐体１ａの長手方向に移動し得るように形成される。
【００１３】
セキュリティゲート１の手前かつ上方には、入側リーダ３が設けられる。入側リーダ３は、一つのＨＦ（ハンズフリー）アンテナ（図示せず）から強度の異なる第１電波と第２電波を出力する。第１電波により、ＩＤ認証エリア３ａが形成される。ＩＤ認証エリア３ａは、セキュリティゲート１の入口に形成される。第２電波により、プレ認証エリア３ｂが形成される。プレ認証エリア３ｂは、ＩＤ認証エリア３ａを覆うように形成される。すなわち、プレ認証エリア３ｂは、セキュリティゲート１の入口に対し、ＩＤ認証エリア３ａよりも手前側に及ぶ。
【００１４】
侵入センサ２と入側リーダ３とには、コントローラ４が接続される。コントローラ４は、侵入センサ２と入側リーダ３とを制御する機能を備える。
【００１５】
利用者は、ＲＦＩＤを用いたタグ５を所持する。タグ５には、ＩＤ情報（識別情報）、簡易情報が記憶される。ＩＤ情報は、当該タグ５を所持した利用者に固有の情報からなる。簡易情報は、ＩＤ情報の情報量よりも少ない情報量からなる。例えば、簡易情報は、有効期限情報からなる。有効期限情報は、当該タグ５の有効期限に対応した情報からなる。
【００１６】
次に、図２を用いて、セキュリティゲートシステムの動作を説明する。
図２はこの発明の実施の形態１におけるセキュリティゲートシステムの動作を説明するためのフローチャートである。
【００１７】
ステップＳ１では、タグ５を所持した利用者がセキュリティゲート１の手前側からプレ認証エリア３ｂに入る。この際、入側リーダ３は、検出部として、タグ５からの電波を受信する。その後、ステップＳ２に進み、入側リーダ３は、プレ認証部として、簡易情報に対するプレ認証の処理を行う。
【００１８】
例えば、入側リーダ３は、干渉電力判定部として、受信した有効期限情報等に基づいて、タグ５からの電波がその他の機器の電波と干渉しているか否かを判定する。すなわち、入側リーダ３は、予め設定された通信誤り率以下の通信が確立されているか否かを判定する。例えば、入側リーダ３は、受信した有効期限情報に基づいて、当該タグ５の有効期限が切れているか否かを判定する。
【００１９】
この際、入側リーダ３は、プレ認証エリア３ｂ内の利用者の数を特定し、セキュリティゲート１の混雑具合を把握する。利用者が多い場合は、入側リーダ３は、タグ５からの干渉の可能性が高いと判定する。この場合は、ステップＳ３に進む。また、タグ５の有効期限が切れている場合も、ステップＳ３に進む。
【００２０】
ステップＳ３では、入側リーダ３は、プレ認証エリア３ｂを広げる。この場合、同じ位置においては、第２電波の強度が上がる。その結果、タグ５の電波干渉が抑制される。その後、ステップＳ１に戻る。
【００２１】
ステップＳ２のプレ認証で簡易情報のチェックに問題がなければ、ステップＳ４に進む。ステップＳ４では、入側リーダ３は、当該タグ５のＩＤ情報を記憶する。その後、入側リーダ３は、通知部として、プレ認証が問題ないことを利用者に通知するための電波を当該タグ５に向けて送信する。当該電波に基づいて、タグ５は、振動したり音を鳴らしたりする。
【００２２】
その後、ステップＳ５に進み、利用者は、ＩＤ認証エリア３ａに入る。この際、入側リーダ３は、タグ５からの電波を再度受信する。その後、ステップＳ６に進み、入側リーダ３は、プレ認証結果をチェックする。その後、入側リーダ３は、当該電波に基づいたＩＤ情報とプレ認証時に記憶したＩＤ情報とが一致するか否かを判定する。
【００２３】
ステップＳ６でＩＤ情報が一致しない場合は、ステップＳ１に戻る。この場合、利用者がセキュリティゲート１内を進むと、侵入センサ２が利用者の不正侵入を検出する。
【００２４】
ステップＳ６でＩＤ情報が一致した場合は、ステップＳ７に進む。ステップＳ７では、入側リーダ３は、利用者の不正侵入ではないと判定する。この場合、コントローラ４は、制御部として、侵入センサ２をセキュリティゲート１の入口から離れる方向に移動させる。
【００２５】
その後、ステップＳ８に進み、ＩＤ認証が行われる。具体的には、コントローラ４は、本認証部として、当該ＩＤ情報と予め記憶されたＩＤ情報とが一致するか否かを判定する。
【００２６】
ステップＳ８でＩＤ情報が一致した場合は、ステップＳ９に進む。ステップＳ９では、利用者は、セキュリティゲート１からの入場を許可される。すなわち、コントローラ４は、利用者が正常にセキュリティゲート１を通過すると判定する。この場合、コントローラ４は、侵入センサ２による利用者の検出を無視したり、侵入センサ２の動作を停止させたりする。
【００２７】
ステップＳ８でＩＤ情報が一致しない場合は、ステップＳ１０に進む。ステップＳ１０では、利用者は、セキュリティゲート１からの入場を許可されない。すなわち、コントローラ４は、利用者が不正にセキュリティゲート１に侵入すると判定する。この場合、利用者がセキュリティゲート１内を進むと、侵入センサ２が利用者の不正侵入を検出する。
【００２８】
以上で説明した実施の形態１によれば、ＩＤ認証の前に、プレ認証が行われる。このため、プレ認証に問題がある場合に、ＩＤ認証の際に認証されないと想定される利用者がＩＤ認証エリア３ａに入ることを防止し得る。すなわち、ＩＤ認証での認証の失敗の数を減らすことができる。その結果、朝等において、セキュリティゲート１の混雑を緩和することができる。
【００２９】
また、プレ認証で認証された場合は、侵入センサ２がセキュリティゲート１の入口から離れる。その結果、侵入検出領域２ａがセキュリティゲート１の奥側に移動する。このため、ＩＤ認証中に侵入センサ２に検出されることを防止できる。その結果、認証されるべき利用者が認証されないことを防止できる。
【００３０】
この場合、セキュリティゲート１がＩＣカードも併用できるゲートであってもよい。当該ゲートによれば、タグ５を所持した利用者のＩＤ認証中に、先にＩＣカードで認証された利用者が不正に侵入すると判定されることを防止できる。
【００３１】
なお、第１電波の周波数と第２電波の周波数とを互いに異なるものにしてもよい。また、第１電波と第２電波とを交互に出力してもよい。これらの場合、第１電波と第２電波との干渉を防止することができる。
【００３２】
また、プレ認証で認証されたことを光電ポスト１ｃの点灯により利用者に報知してもよい。
【００３３】
また、複数の侵入センサ２をセキュリティゲート１の長手方向に並べてもよい。この場合、通常時は、セキュリティゲート１の手前側の侵入センサ２で不正侵入を検出すればよい。プレ認証で認証された場合に、セキュリティゲート１の奥側の侵入センサ２で不正侵入を検出すればよい。この場合も、ＩＤ認証中に侵入センサ２に検出されることを防止できる。その結果、認証されるべき利用者が認証されないことを防止できる。
【００３４】
また、プレ認証に問題がないことをタグ５に通知せず、プレ認証に問題があることをタグ５に通知してもよい。この場合、タグ５が振動したり音を鳴らしたりすることにより、利用者に異変を気付かせることができる。
【００３５】
実施の形態２．
図３はこの発明の実施の形態２におけるセキュリティゲートシステムの構成図である。なお、実施の形態１と同一又は相当部分には同一符号を付して説明を省略する。
【００３６】
実施の形態１の入側リーダ３は、ＩＤ認証エリア３ａとプレ認証エリア３ｂとが重なるように、第１電波と第２電波とを出力していた。一方、実施の形態２の入側リーダ３は、ＩＤ認証エリア３ａとプレ認証エリア３ｂとが重ならないように、第１電波と第２電波とを出力する。
【００３７】
具体的には、入側リーダ３は、第１アンテナ６ａ、複数の第２アンテナ６ｂを備える。第１アンテナ６ａは、第１電波を出力する。第２アンテナ６ｂの各々は、第２電波を出力する。この際、隣接したプレ認証エリア３ｂは、互いに接するように形成される。その結果、ＩＤ認証エリア３ａは、セキュリティゲート１の入口の手前側から複数のプレ認証エリア３ｂにより覆われる。
【００３８】
以上で説明した実施の形態２によれば、ＩＤ認証エリア３ａとプレ認証エリア３ｂとが重ならない。このため、第１電波と第２電波とを同じ周波数で同時に出力しても、第１電波と第２電波との干渉を防止することができる。
【産業上の利用可能性】
【００３９】
以上のように、この発明に係るセキュリティゲートシステムは、セキュリティゲートの混雑を緩和するシステムに利用できる。
【符号の説明】
【００４０】
１  セキュリティゲート、１ａ、１ｂ  筐体、  １ｃ  光電ポスト、  ２  侵入センサ、  ２ａ  侵入検出領域、  ３  入側リーダ、  ３ａ  ＩＤ認証エリア、  ３ｂ  プレ認証エリア、  ４  コントローラ、  ５  タグ、  ６ａ  第１アンテナ、  ６ｂ  第２アンテナ
【図１】
0005880736.tif 000002
【図２】
0005880736.tif 000003
【図３】
0005880736.tif 000004